(57)【特許請求の範囲】
【請求項１】
遊技盤の後面側に装着された箱形状のボックス支持部材に、制御基板が収納された主基板ボックスと同じく制御基板が収納された副基板ボックスが支持された遊技機であって、
前記ボックス支持部材の背面上部に設けられた第１装着部と、
前記ボックス支持部材の背面下部に設けられ、前記第１装着部よりも前向に低くなる段差状に変位した第２装着部と、
前記ボックス支持部材の第１装着部と第２装着部との各位置に変更可能に装着される方形状のボックストレイと、を有し、
前記主基板ボックスは、前記ボックストレイの後側位置に装着され、
前記副基板ボックスは、前記ボックストレイの前側下部位置に装着され、
前記第１装着部に前記ボックストレイが装着された状態では、そのボックストレイを介して前記主基板ボックスが第１装着部の後側位置に配置されると共にボックストレイ前側の前記副基板ボックスが前記第２装着部に格納され、
前記第２装着部に前記ボックストレイが装着された状態では、そのボックストレイを介して前記主基板ボックスが第２装着部の後側位置に配置されると共にボックストレイ前側の前記副基板ボックスが、前記ボックス支持部材の下方に配置される構成になっていることを特徴とする遊技機。
【発明の詳細な説明】
【０００１】
【発明の属する技術分野】
この発明は、パチンコ機（アレンジボール機、雀球機等も含む）のような弾球遊技機やスロットマシン等の遊技機に関する。
【０００２】
【従来の技術】
遊技機のボックス支持部材の後面に対し単数又は複数の基板ボックスが装着された構造のものが知られている。例えば、遊技機がパチンコ機である場合、遊技盤の後側に装着されたボックス支持部材としての裏カバー体の後面に、主基板ボックスや副基板ボックスが装着された構造のものが知られている。また、遊技盤に装着された役物装置や図柄表示装置等において、その後側部分が遊技盤から比較的大きく突出して装着されることがある。この場合、役物装置、図柄表示装置等の後側突出部分を裏カバー体によって覆うために、裏カバー体が部分的、あるいは、裏カバー体全体が後方に大きく突出して形成されるようになっているが一般的であった。
【０００３】
【発明が解決しようとする課題】
ところで、裏カバー体が部分的、あるいは、裏カバー体全体が後方に大きく突出して形成される場合、その裏カバー体の後面に基板ボックスが装着されると、遊技盤から基板ボックス後面までの奥行き寸法が大きくなり、ひいては、パチンコ機全体の奥行き寸法も大きくなく。パチンコ機全体の奥行き寸法が大きくなると、そのパチンコ機を遊技場（パチンコホール）の島設備に設置することが困難となる場合がある。また、遊技盤から基板ボックス後面までの奥行き寸法が大きくなるのを軽減するために、裏カバー体を部分的に後方に突出して役物装置、図柄表示装置等の後側突出部分を覆い、その裏カバー体の突出部分を避けて、同裏カバー体の後面下部に基板ボックスを装着することが考えられる。しかしながら、裏カバー体の後面下部に基板ボックスを装着すると、その基板ボックスの下端部が裏カバー体の下方から大きく張り出すとともに、遊技盤の下縁よりもさらに下方に突出する場合がある。このような場合、例えば、パチンコ機の製造ラインにおいて、移送レールに沿って遊技盤を移送する際、その遊技盤の下縁よりもさらに突出する基板ボックスが妨害物となって遊技盤の移送を妨げる不具合が発生する場合がある。
【０００４】
この発明の目的は、前記問題点に鑑み、ボックス支持部材に対し基板ボックスを奥行き方向及び上下方向に変位して支持できるように構成することで、必要に応じて、ボックス支持部材から基板ボックス後面までの奥行き寸法や、ボックス支持部材の外側方に対する基板ボックスの張り出しを調整することができる遊技機を提供することである。
【０００５】
【課題を解決するための手段】
前記目的を達成するために本発明は、遊技盤の後面側に装着された箱形状のボックス支持部材に、制御基板が収納された主基板ボックスと同じく制御基板が収納された副基板ボックスが支持された遊技機であって、
前記ボックス支持部材の背面上部に設けられた第１装着部と、
前記ボックス支持部材の背面下部に設けられ、前記第１装着部よりも前向に低くなる段差状に変位した第２装着部と、
前記ボックス支持部材の第１装着部と第２装着部との各位置に変更可能に装着される方形状のボックストレイと、を有し、
前記主基板ボックスは、前記ボックストレイの後側位置に装着され、
前記副基板ボックスは、前記ボックストレイの前側下部位置に装着され、
前記第１装着部に前記ボックストレイが装着された状態では、そのボックストレイを介して前記主基板ボックスが第１装着部の後側位置に配置されると共にボックストレイ前側の前記副基板ボックスが前記第２装着部に格納され、
前記第２装着部に前記ボックストレイが装着された状態では、そのボックストレイを介して前記主基板ボックスが第２装着部の後側位置に配置されると共にボックストレイ前側の前記副基板ボックスが、前記ボックス支持部材の下方に配置される構成になっている遊技機を提供する。
【０００６】
本発明の遊技機は上記の構成を有するため、ボックス支持部材の第１装着部にボックストレイが装着されたときには、そのボックストレイ前側の副基板ボックスが、ボックス支持部材下部の第２装着部に格納されて保護される。また、ボックス支持部材の第２装着部にボックストレイが装着されたときには、そのボックストレイ前側の副基板ボックスが、ボックス支持部材の下方に配置される。このため、ボックス支持部材から基板ボックス後面までの奥行き寸法を可及的に小さく押えることができ、ひいては、遊技機全体の奥行き寸法も可及的に小さくなる。
【０００７】
【発明の実施の形態】
（実施の形態１）
この発明の実施の形態１を図１〜図２１にしたがって説明する。なお、説明の便宜上、パチンコ機の遊技者側に向かう側を前、反対側を後という。パチンコ機を後面側から表した図１、前面側から表した図２、及び側面から表した図３において、遊技機としてのパチンコ機１は、外枠体２と、前枠１０と、遊技盤ユニット２０とを主体として構成されている。外枠体２は、略矩形枠状に形成され、その前側には、ヒンジ機構３によって前枠１０が開閉可能に装着されている。前枠１０は、遊技盤ユニット２０の主体部をなす遊技盤２１前面の略全体を露出する開口部を有して枠状に形成されている。この前枠１０には、その後面の開口部周縁に沿って支持枠１１が一体状に設けられている。支持枠１１には、遊技盤ユニット２０が、その遊技盤２１において着脱可能に嵌込まれ、同遊技盤２１後面の周縁部が次に述べる裏セット部材１３に押さえられて支持されている。
【０００８】
また、前枠１０の後面側には、その支持枠１１の片側の枠部において、裏セットヒンジによって裏セット部材１３が開閉可能に組み付けられている。この裏セット部材１３は、遊技盤２１の後面に装着された裏カバー体３０（この発明のボックス支持部材に相当する）周囲を取り囲むようにして形成されている。そして、裏セット部材１３の略中央部には裏カバー体３０の後面を後方に露出させる窓が形成されている。図１に示すように、前枠１０の支持枠１１には、裏セット部材１３を閉じ状態に保持するための複数の留め具１２が組み付けられている。そして、まず、支持枠１１に対し遊技盤ユニット２０が、その遊技盤２１において嵌込まれる。次に、裏セット部材１３が閉じられ、その裏セット部材１３が複数の留め具１２によって閉じ状態に保持されることで、前枠１０に対し裏セット部材１３を介して遊技盤ユニット２０が装着される。また、これとは逆に、複数の留め具１２を外して裏セット部材１３を開いた状態のもとで、前枠１０の後面側から遊技盤ユニット２０が脱着交換可能となっている。また、裏セット部材１３の後面には、図１に向かって、上部から右側わたって球タンク１５、タンクレール１６、球払出装置１７等が装着されている。また、裏カバー体３０の図に向かって右側上部には、電源基板１８が、基板ボックス１９に収納された状態で装着されている。なお、外部電源が取り込まれる電源基板１８は、その電源回路において、外部電源を所要とする電圧に調整したり、あるいは整流するようになっている。そして、図１に示すように、電源基板１８は、１本の接続コード２０８によって、後述するボックストレイ５０上の電源中継基板１８０にコネクタ接続によって電気的に接続される。これによって、電源基板１８から所要とする電圧の電流を後述する主制御基板９０、音声制御基板１４０、ランプ制御基板１５０等にそれぞれ供給するようになっている。
【０００９】
また、図２と図３に示すように、前枠１０の前側には、表枠４（ガラス扉、ガラス枠等とも呼ばれている）がその一側に配設されたヒンジ機構によって開閉可能に装着されている。この表枠４には、遊技盤２１の遊技領域を透視可能な略円形の開口窓５が形成されている。そして、表枠４の後面側には、開口窓５を透視可能に塞ぐ前後二枚のガラス板を保持するガラス枠が設けられている。また、前枠１０の前側には、表枠４の下方に隣接して下板６が開閉可能に装着され、その下板６の前面には上皿７が設けられている。また、前枠１０の前面には、その下板６の下方に位置して球発射用の発射ハンドル装置８や下皿９等が組み付けられている。
【００１０】
図４〜図１０に示すように、遊技盤ユニット２０は、遊技盤２１、球集合樋（図示しない）、裏カバー体３０、主基板ボックス８０、副基板ボックス１３０（この発明の複数の基板ボックスに相当する）等を備えている。また、遊技盤２１の前面には、周知のように、平帯状のレールが装着されるとともに、レールの内側において遊技領域が区画されている。そして、遊技盤２１前面の遊技領域内には、遊技構成部材としての各種の入賞装置、役物装置、図柄表示装置、アタッカ装置、ゲート口、風車器、誘導釘等（図示しない）が配設されている。
【００１１】
図９と図１０に示すように、遊技盤２１の後面には、球集合樋（図示しない）を覆うようにして裏カバー体３０（この発明のボックス支持部材に相当する）が、その一側においてヒンジ機構３８によって開閉可能に装着されている。この裏カバー体３０は、周壁部３０ａと後板部３０ｂとを一体に有しかつ遊技盤２１の後面に向けて開口する略箱形状に形成されている。また、裏カバー体３０の周壁部３０ａの一側前端部（図１０に向かって左下部）には、ヒンジ機構３８をなす上下方向のヒンジ軸３８ａを中心として支持部材３９が回動可能に装着されている。この支持部材３９の前面の上下部には、遊技盤２１の後面に凹設された取付孔に圧入によって固定される段差軸状に固定軸３９ａが突設されている。また、裏カバー体３０の周壁部の自由端側前縁部（図１０に向かって右下部）の上下部には、遊技盤２１の後面に凹設された嵌合孔に挿脱可能に嵌挿されて裏カバー体３０を閉じ状態に保持するための段差軸状の差込軸３０ｃが突設されている。
【００１２】
すなわち、図１０に示すように、支持部材３９の固定軸３９ａを遊技盤２１の取付孔に圧入して固定した後、ヒンジ軸３８ａを中心として裏カバー体３０が閉じられることで、その裏カバー体３０の差込軸３０ｃが遊技盤２１の嵌合孔に差し込まれる。これによって、遊技盤２１の後面に裏カバー体３０が開閉可能に装着されるようになっている。図５と図６に示すように、遊技盤２１の後面には、裏カバー体３０を閉じ状態にロックするためのロック部材２５が装着されている。このロック部材２５は、その基端部において、遊技盤２１の後面に固定され、その基端部から後方に向けてロック片２６が弾性変形可能に延出されている。そして、裏カバー体３０の閉じ動作に基づいて、ロック部材２５のロック片２６の係止部が、裏カバー体３０の周壁部３０ａの自由端側側面に形成された係止孔に弾性的に係合し、裏カバー体３０を閉じ状態にロックするようになっている。
【００１３】
図５と図６に示すように、裏カバー体３０の後板部３０ｂは、遊技盤２１の後面に対し、その上部が高く、下部が低い段差状に形成されるとともに、上部を第１装着部３１とし、下部を第２装着部４１としている。これら第１、第２の装着部３１、４１にはボックストレイ５０が配置切換可能に装着されるようになっている。
【００１４】
図９と図１０に示すように、裏カバー体３０の第１装着部３１の上下左右の計４箇所には、ボックストレイ５０を着脱可能に装着するための差込部を有する係合部３２がそれぞれ形成されている。さらに、第１装着部３１には、その上下の係合部３２の中間に位置して左右一対の案内突部３４が突設されている。また、第１装着部３１の所定位置には、ボックストレイ５０に係脱可能にかつ弾性的に係合して第１装着部３１にボックストレイ５０を装着状態にロックするロック部３５が切り込み溝によって形成されている。このロック部３５の先端部には、ロック解除用の解除操作部３６が延出されている。また、図９と図１０に示すように、第２装着部４１においても、第１装着部３１と略同様にして、その上下左右の計４箇所に、ボックストレイ５０を着脱可能に装着するための差込部を有する係合部４２がそれぞれ形成され、その上下の係合部４２の中間に位置して左右一対の案内突部４４が突設されている。また、第２装着部４１の所定位置には、ボックストレイ５０に係脱可能にかつ弾性的に係合して第２装着部４１にボックストレイ５０を装着状態にロックする解除操作部４６を有するロック部４５が切り込み溝によって形成されている。
【００１５】
図１０と図１１に示すように、裏カバー体３０の第１装着部３１又は第２装着部４１に択一的に装着されるボックストレイ５０は略矩形板状に形成されている。ボックストレイ５０の上部寄りの上下左右の計４箇所には、第１装着部３１の各係合部３２（又は第２装着部４１の各係合部４２）に差し込まれることで係脱可能に係合する差込片５１がそれぞれ形成されている。また、ボックストレイ５０には、その上下の差込片５１の中間位置において、第１装着部３１の案内突部３４（又は第２装着部４１の案内突部４４）が左右方向に移動可能に嵌挿される一対の長孔状の案内孔５２が形成されている。一対の案内孔５２は、その長手方向一端部に大径孔部５２ａを有する鍵穴状にそれぞれ形成されている。そして、裏カバー体３０の第１装着部３１の案内突部３４（又は第２装着部４１の案内突部４４）に対し、ボックストレイ５０の案内孔５２がその一端の大径孔部において嵌挿しやすくなっている。
【００１６】
例えば、裏カバー体３０の第１装着部３１に対し、ボックストレイ５０を装着するときには、第１装着部３１の一対の案内突部３４にボックストレイ５０の一対の案内孔５２がその各大径孔部５２ａにおいて嵌挿される。この状態において、裏カバー体３０に対しボックストレイ５０を左右一方向（図１０に向かって右方向）に移動することで、第１装着部３１の各係合部３２（又は第２装着部４１の各係合部４２）にボックストレイ５０の差込片５１が差し込まれて係合する。
【００１７】
また、前記ボックストレイ５０の移動によって、裏カバー体３０のロック部３５が弾性的に係合する。そして、このロック部３５によってボックストレイ５０が第１装着部３１の装着位置にロックされるようになっている。また、ロック部３５の解除操作部３６を押圧してロック解除した状態で、ボックストレイ５０が前記とは反対方向に移動することによって、第１装着部３１の各係合部３２から差込片５１が抜け出て外れる。これによって、第１装着部３１に対しボックストレイ５０が取り外されるようになっている。また、裏カバー体３０の第２装着部４１に対し、ボックストレイ５０を着脱するときには、前記第１装着部３１に対する操作と略同様にして、ロック部４５を、その解除操作部４６において操作するで容易に行われる（図１０参照）。
【００１８】
図１４に示すように、ボックストレイ５０には、複数の基板ボックス、すなわち、主基板ボックス８０と副基板ボックス１３０とがそれぞれ装着されるようになっている。この実施の形態１において、ボックストレイ５０の後面側（図１０に向かって上面側）には、主基板ボックス８０を着脱可能に装着するための主装着部６０が設けられている。また、ボックストレイ５０の前面側（図１２に向かって左側）には、所要数（複数又は単数、この実施の形態では単数）の副基板ボックス１３０を着脱可能に装着するための副装着部７０が設けられている。
【００１９】
図１０と図１１に示すように、主装着部６０は、ボックストレイ５０後面の一側（図１１に向かって左側）の上下方向略中央部に形成された係合部６１と、他側寄りの上下方向略中央部に装着された固定部材６３とを備えている。また、図１０に示すように、係合部６１には、主基板ボックス８０の一側に突設された差込片８７が挿脱可能に差し込まれる差込溝６２が形成されている。また、固定部材６３は、その中央部のボス部において、ボックストレイ５０後面の他側寄りに締付けねじ６６を中心として回動操作可能に装着されている。そして、この固定部材６３の一端部には、主基板ボックス８０の他側の張出片８８を押さえる係合部６４が形成され、他端部には、同固定部材６３を回動操作するための操作部６５が形成されている。
【００２０】
図１１〜図１３に示すように、副装着部７０は、掛止め部７８と一対の止着片７１とを備えて構成されている。掛止め部７８は、ボックストレイ５０前面の高さ方向略中央部において前方に向けて突設され、その先端部には、左右一対の係合片７８ａが直角状をなして形成されている。また、一対の止着片７１は、ボックストレイ５０前面の下部にそれぞれ弾性変形可能に突設されている。これら一対の止着片７１には、副基板ボックス１３０の一対の係止片１７５に対し係脱可能に係合する前後方向のスリット状の係合溝７２がそれぞれ形成されている。
【００２１】
また、この実施の形態１において、ボックストレイ５０の他側上部（図１１に向かって右上部）には、電源中継基板１８０を装着するための装着部７３が一体に形成されている。この装着部７３には、電源中継基板１８０の一辺（長片）の両角部が差し込まれる係止部７４と、電源中継基板１８０の一部を通して止めねじがねじ込まれるねじ込み部７７とがそれぞれ形成されている。また、ボックストレイ５０の他側下部（図１１に向かって右下部）には、電源中継基板１８０の下方に隣接して盤用外部端子基板１９０を装着するための装着部７５が一体に形成されている。この装着部７５には、盤用外部端子基板１９０の一辺（短辺）の両角部が差し込まれる係止部７６と、盤用外部端子基板１９０の一部を通して止めねじがねじ込まれるねじ込み部７８とがそれぞれ形成されている。
【００２２】
図１６と図１７に示すように、主基板ボックス８０は、主制御基板９０を保持するベース体８１と、主制御基板９０を覆いかつヒンジ手段１１０によってベース体８１に開閉並びに着脱可能に装着された蓋体１００とを備えている。ベース体８１は、底板部８５と周壁部８６とを備え、主制御基板９０よりも適宜に大きい略矩形の薄箱状に形成されている。このベース体８１の周壁部８６の一側の上下方向略中央部には差込片８７が形成され、他側の上下方向略中央部には張出片８８が形成されている。そして、図１０に示すように、ベース体８１の差込片８７は、主装着部６０の係合部６１の差込溝６２に差し込まれる。この状態において、ベース体８１の張出片８８が固定部材６３の係合部６４に押さえられることで、ボックストレイ５０の主装着部６０に対し主基板ボックス８０が装着されるようになっている。
【００２３】
主基板ボックス８０のベース体８１内側の４隅には締め付け用のねじ込み部が形成されている。そして、主制御基板９０の４角部を通して締付ねじがねじ込み部にねじ込まれることで、ベース体８１に対し主制御基板９０が固定状態で保持されるようになっている。図１７と図１８に示すように、主制御基板９０には、その略中央部に回路領域９１が設けられ、一側（図１７に向かって左側）寄りにはコネクタ配設領域９３が設けられている。また、回路領域９１には、遊技盤２１の各種の入賞装置、役物装置、図柄表示装置、アタッカ装置等の遊技構成部材（図示しない）を制御する主制御回路を構成する各種の部品９２（回路素子）が装着されている。また、コネクタ配設領域９３には、各種の基板コネクタ９４、９５、９６、９７がそれぞれ配設されている。
【００２４】
また、ベース体８１の一端縁（図１７に向かって左端縁）には、ヒンジ手段１１０を構成する外側ヒンジ部８２と内側ヒンジ部１０１とのうち、外側ヒンジ部８２が形成されている。この外側ヒンジ部８２は、ベース体８１の一端縁の略全長にわたって断面略鉤形状に形成されている。そして、外側ヒンジ部８２には、内側ヒンジ部１０１が脱抜可能に差し込まれて係合する開口部を有する係合凹部８３が形成されるとともに、その係合凹部８３の長手方向に所定の間隔を保ってリブ８４が形成されている（図１６参照）。
【００２５】
主制御基板９０を覆う蓋体１００の一端縁（図１７に向かって左端縁）には、内側ヒンジ部１０１が形成されている。この内側ヒンジ部１０１は、蓋体１００の一端縁からその略全長にわたって延出されている。内側ヒンジ部１０１の延出端には外側ヒンジ部８２の係合凹部８３に挿脱可能に差し込まれて係合する係合片１０２が断面略直角状に形成されている。さらに、内側ヒンジ部１０１には、外側ヒンジ部８２の各リブ８４に対応する位置において切込み溝が形成されている（図１６参照）。そして、蓋体１００は、その内側ヒンジ部１０１の係合片１０２が外側ヒンジ部８２の係合凹部８３の開口部から差し込まれて係合したした状態において、これら係合片１０２と係合凹部８３との係合部を支点として開閉可能に装着されるようになっている（図１９参照）。
【００２６】
図１６〜図１９に示すように、主制御基板９０を覆う蓋体１００は、蓋板部と周壁部とを備えて略箱形状に形成されている。蓋体１００の蓋板部には、その略中央部に主制御基板９０の回路領域９１を覆う回路領域覆い部１０４が形成されている。また、蓋体１００の蓋板部の一側寄りは、すなわち、ヒンジ近傍には、主制御基板９０のコネクタ配設領域９３を覆うコネクタ領域覆い部１０５が張り出し状に形成されている。このコネクタ領域覆い部１０５には、コネクタ配設領域９３の各基板コネクタ９４、９５、９６、９７の部分を露出される開口孔１０６、１０７、１０８、１０９が形成されている。また、蓋体１００のコネクタ領域覆い部１０５の各開口孔１０６、１０７、１０８、１０９は、各基板コネクタ９４、９５、９６、９７の外郭寸法に対応する寸法、すなわち、基板コネクタ９４、９５、９６、９７の外郭寸法と略同じ寸法に形成されている。
【００２７】
また、蓋体１００は、回路領域覆い部１０４が高く、コネクタ領域覆い部１０５が低い段差状に形成されている。また、図１７に示すように、蓋体１００の内面には、回路領域覆い部１０４とコネクタ領域覆い部１０５との内部空間を区画する仕切壁１１７が主制御基板９０の装着面に接近して形成されている。また、図１７に示すように、ベース体８１に対し蓋体１００が閉じ状態にあるときに、コネクタ領域覆い部１０５の各開口孔１０６、１０７、１０８、１０９から主制御基板９０の各基板コネクタ９４、９５、９６、９７が露出する程度において、コネクタ領域覆い部１０５が主制御基板９０の装着面に接近している。
【００２８】
また、図１６と図１８に示すように、ベース体８１と蓋体１００との間には、そのベース体８１に対し蓋体１００を閉じ状態に封印する封印手段１２０が設けられている。この実施の形態１において、封印手段１２０は、蓋体１００の自由端寄り部分の左右外側面にそれぞれ配設された各複数個（図１６では各４個）の封印部１２１をそれぞれ有する封印部群を有している。封印部１２１は、ベース体８１から切り離し可能に延出された封印締付部１２２と、その封印締付部１２２に対応して蓋体１００から切り離し可能に延出された封印挿通部１２４と、その封印挿通部１２４を通して封印締付部１２２にねじ込まれる封印ねじ１２３とをそれぞれ有している。そして、それぞれの封印部群の各１つの封印部１２１が選択され、封印ねじ１２３が封印挿通部１２４を通して封印締付部１２２にねじ込まれることによって、ベース体８１に対し蓋体１００が閉じ状態に封印されるようになっている。
【００２９】
図１２と図１３及び図２０と図２１に示すように、ボックストレイ５０の副装着部７０に着脱可能に装着された副基板ボックス１３０は、少なくとも１つの副制御基板を保持するベース体１３１と、副制御基板を覆うようにしてベース体１３１に着脱可能に装着された蓋体１６０とを備えている。この実施の形態１において、図１３に示すように、副基板ボックス１３０のベース体１３１は、音声制御基板１４０とランプ制御基板１５０との複数の副制御基板を左右に並列状に保持する基板配設領域が設けられた略矩形の薄箱状に形成されている。そして、ベース体１３１の各基板配設領域には、音声制御基板１４０とランプ制御基板１５０とがそれぞれねじによって締め付け固定されている。
【００３０】
音声制御基板１４０には、その略中央部に音声制御回路を構成する各種の部品（回路素子）が配設された回路領域１４３が設けられている。音声制御回路を構成する回路領域１４３において、背が比較的低い部品１４１は、回路領域１４３の略上半部に設けられた低領域１４３ａに配設されている。また、背の高い部品、あるいは熱を発する部品、例えば、放熱器やコンデンサ等の部品１４２は回路領域１４３の一側寄り、この実施の形態１では回路領域１４３の略下半部の高領域１４３ｂに集中して配設されている。また、音声制御基板１４０の周縁部の片角部にはコネクタ配設領域が設けられ、そのコネクタ配設領域には、各種の基板コネクタ１４５、１４６がそれぞれ配設されている（図１５参照）。
【００３１】
ランプ制御基板１５０においても、音声制御基板１４０と略同様にして、その略中央部にランプ制御回路を構成する部品（回路素子）が配設された回路領域１５３が設けられている。ランプ制御回路を構成する回路領域１５３においても、音声制御回路の回路領域１４３と略同様にして、背が比較的低い部品１５１は、回路領域１５３の略上半部に設けられた低領域１５３ａに配設されている。また、背の高い部品、あるいは熱を発する部品、例えば、放熱器やコンデンサ等の部品１５２は回路領域１５３の一側寄り、この実施の形態１では回路領域１５３の略下半部に設けられた高領域１５３ｂに集中して配設されている。また、ランプ制御基板１５０の周縁部にはコネクタ配設領域が設けられ、そのコネクタ配設領域には、各種の基板コネクタ１５５、１５６がそれぞれ配設されている（図１５参照）。
【００３２】
また、音声制御基板１４０とランプ制御基板１５０とをそれぞれ覆う蓋体１６０は、ベース体１３１の各基板配設領域に音声制御基板１４０とランプ制御基板１５０とそれぞれ締め付け固定する締付けねじによってベース体１３１に対し共締めされて着脱可能に装着されている。図２０と図２１に示すように、蓋体１６０は、蓋板部と周壁部とを備えて略箱形状に形成されている。この蓋体１６０の蓋板部には、音声制御基板１４０とランプ制御基板１５０とのそれぞれの回路領域１４３、１５３のうち、背の低い部品（回路素子）がそれぞれ配設された低領域１４３ａ、１５３ａをそれぞれ連続状に覆う低領域覆い部１６２が形成されている。また、蓋体１６０の蓋板部には、音声制御基板１４０とランプ制御基板１５０との各背の高い部品（回路素子）がそれぞれ配設された高領域１４３ｂ、１５３ｂをそれれ覆う高領域覆い部１６３、１６４がそれぞれ形成されている。また、蓋体１６０の周縁部には、音声制御基板１４０とランプ制御基板１５０との各コネクタ配設領域を覆うコネクタ覆い部がそれぞれ形成され、これら各コネクタ覆い部には、各基板コネクタ１４５、１４６、１５５、１５６の部分を露出される開口孔がそれぞれ形成されている。
【００３３】
また、図１３に示すように、副基板ボックス１３０のベース体１３１の上縁部には、左右一対をなす係止軸１３５が同一横軸線上に形成されている。そして、図１２に示すように、一対の係止軸１３５は、ボックストレイ５０の副装着部７０の掛止め部７８の左右一対の係合片７８ａに係脱可能に差し込まれるようになっている。また、図１３に示すように、副基板ボックス１３０の蓋体１６０の両側壁外面には、副装着部７０の一対の止着片７１の係合溝７２に係脱可能に係合する一対の係止片１７５がそれぞれ形成されている。
【００３４】
すなわち、この実施の形態１において、ボックストレイ５０前面の副装着部７０に対し副基板ボックス１３０の蓋体１００を対面させた状態で、その副基板ボックス１３０の一対の係止軸１３５が、副装着部７０の掛止め部７８の一対の係合片７８ａに係脱可能に差し込まれる。その後、一対の係止軸１３５と、係合片７８ａとの係合部を支点として副基板ボックス１３０を副装着部７０に向けて回動操作する。これによって、副基板ボックス１３０の一対の係止片１７５が副装着部７０の一対の止着片７１を弾性変形させながら、これら一対の止着片７１の係合溝７２にそれぞれ係合する。そして、一対の止着片７１の係合溝７２と、一対の係止片１７５との係合力によって、副装着部７０に対し副基板ボックス１３０が着脱可能に装着されるようになっている。
【００３５】
また、図１５に示すように、盤用外部端子基板１９０と主制御基板９０とは、これら各基板の基板コネクタ１９１、９５に、外部出力用接続コード２０３の両端末コネクタがそれぞれ差し込まれることによって、電気的に接続される。また、主制御基板９０と音声制御基板１４０は、これら各基板の基板コネクタ９６、１４６に、接続コード２０４の両端末コネクタがそれぞれ差し込まれることによって電気的に接続される。また、主制御基板９０とランプ制御基板１５０は、これら各基板の基板コネクタ９７、１５６に、接続コード２０５の両端末コネクタがそれぞれ差し込まれることによって、電気的に接続される。
【００３６】
また、図１５に示すように、電源中継基板１８０と主制御基板９０とは、こられ各基板の基板コネクタ１８１、９４に対し電源用接続コード２００の両端末コネクタがそれぞれ差し込まれることによって、電気的に接続される。また、電源中継基板１８０と音声制御基板１４０とは、これら各基板の基板コネクタ１８２、１４５に対し、電源用接続コード２０１の両端末コネクタがそれぞれ差し込まれることによって、電気的に接続される。また、電源中継基板１８０とランプ制御基板１５０とは、これら各基板の基板コネクタ１８３、１５５に対し、電源用接続コード２０２の両端末コネクタがそれぞれ差し込まれることによって、電気的に接続される。
【００３７】
図１２に示すように、ボックストレイ５０の副装着部７０に対し副基板ボックス１３０が装着された状態において、副基板ボックス１３０の蓋体１６０の略下半部の高領域覆い部１６３、１６４がボックストレイ５０の下端から後方に向けて突出するように、ボックストレイ５０の副装着部７０の位置が適宜に設定されている。さらに、副装着部７０に対し副基板ボックス１３０が装着された状態において、その蓋体１６０の上半部の低領域覆い部１６２が副装着部７０の装着面に接近して装着されるように、一対の止着片７１の係合溝７２と、一対の係止片１７５との係合位置が適宜に設定されている。これによって、副基板ボックス１３０の蓋体１６０の略下半部の高領域覆い部１６３、１６４がボックストレイ５０の下端から後方に向けて突出し、その突出分だけ、副基板ボックス１３０の前面から主基板ボックス８０の後面までの厚さ寸法が可及的に小さくなるように構成されている。
【００３８】
また、この実施の形態１において、裏カバー体３０後面の第１装着部３１と第２装着部４１との配設位置、並びに、これら第１装着部３１と第２装着部４１との段差の高さ寸法は、次のようにして設定される。すなわち、図７と図８に示すように、裏カバー体３０後面の第１装着部３１にボックストレイ５０が装着されたときには、そのボックストレイ５０の副装着部７０の副基板ボックス１３０の上縁が段差面３０ｄに接近し、かつ同副基板ボックス１３０（ベース体１３１）の後面が第２装着部４１に接近して収納されるように、裏カバー体３０後面の第１装着部３１と第２装着部４１との配設位置、並びに、これら第１装着部３１と第２装着部４１との段差の高さ寸法が適宜に設定されている。さらに、図５と図６に示すように、裏カバー体３０後面の第２装着部４１にボックストレイ５０が装着されたときには、主基板ボックス８０の上縁が裏カバー体３０の段差面３０ｄに接近し、かつ副基板ボックス１３０の上縁が裏カバー体３０の下方に配置されるとともに、副基板ボックス１３０が裏セット部材１３の一部に当たらないように、裏カバー体３０後面の第２装着部４１の配設位置が適宜に設定されている。
【００３９】
この実施の形態１に係るパチンコ機は上述したように構成される。したがって、パチンコ機１の本体部（遊技機本体としての外枠体２及び前枠１０）と別個に、遊技盤ユニット２０を組み立て、その遊技盤ユニット２０を梱包、保管、運搬等をする場合、ユニット組立ライン（遊技機生産ライン）上において、遊技盤２１のボックス支持部材としての裏カバー体３０上半部の第１装着部３１に対し、ボックストレイ５０が装着される。図７と図８に示すように、裏カバー体３０の第１装着部３１に対しボックストレイ５０が装着されることによって、同ボックストレイ５０の副基板ボックス１３０の下端が遊技盤２１の下端縁から下方に突出することなく、遊技盤２１の高さ寸法Ｈ内において納められる。しかも、裏カバー体３０の第１装着部３１にボックストレイ５０が装着されたときには、そのボックストレイ５０の前側面の副装着部７０に装着された副基板ボックス１３０が、裏カバー体３０下部の第２装着部４１に格納されて保護される。このため、ユニット組立ライン（遊技機生産ライン）の上下の盤移送レール２２０、２２１によって遊技盤２１を移送する際、副基板ボックス１３０が妨害物となる不具合を解消することができる。また、前記したように、裏カバー体３０の第１装着部３１にボックストレイ５０が装着されることで、遊技盤ユニット２０の高さ寸法Ｈが遊技盤２１の高さ寸法内において小さく抑えられる。このため、遊技盤ユニット２０を嵩張ることなく梱包することができ、梱包、保管、運搬等においても効果が大きい。
【００４０】
パチンコホールの島設備に設置されたパチンコ機１において、その前枠１０に対し遊技盤ユニット２０を装着する場合、まず、遊技盤ユニット２０の裏カバー体３０の第１装着部３１に装着されたボックストレイ５０を取り外す。その後、裏カバー体３０下半部の第２装着部４１に対し、前記取り外したボックストレイ５０を装着する（図５と図６参照）。そして、遊技盤ユニット２０を前枠１０の後側に装着する。前記したように、裏カバー体３０下半部の第２装着部４１にボックストレイ５０が装着されることによって、遊技盤ユニット２０に奥行き寸法、すなわち、図６に示すように、遊技盤２１の前面からボックストレイ５０の主基板ボックス８０後面までの奥行き寸法Ｗが小さくなる。特に、裏カバー体３０の第２装着部４１にボックストレイ５０が装着されたときには、そのボックストレイ５０前側面の副装着部７０に装着された副基板ボックス１３０が、裏カバー体３０の下方に配置される。このため、遊技盤２１前面から副基板ボックス１３０後面までの奥行き寸法Ｗを可及的に小さく押えることができ、ひいては、遊技機全体の奥行き寸法も可及的に小さくなる。このため、パチンコホールの島設備において、パチンコ機１を設置するための奥行きスペースが小さい場合においても、そのパチンコ機１の前枠１０に対し遊技盤ユニット２０を不具合なく装着することが可能となる。
【００４１】
また、前記したように、ボックストレイ５０には、その後側面の主装着部６０と、前側面の副装着部７０に複数の基板ボックス、すなわち、主基板ボックス８０と副基板ボックス１３０とがそれぞれ装着されている。このため、裏カバー体３０の第１装着部３１又は第２装着部４１に対し、主基板ボックス８０と副基板ボックス１３０とをそれぞれ個別に装着する手間を省くことができる。
【００４２】
（実施の形態２）
次に、この発明の実施の形態２を図２２と図２３にしたがって説明すると、遊技盤２１の後面に装着されたボックス支持部材としての裏カバー体３０の後側面は奥行き方向に傾斜状に変位し、その傾斜部には、その一側寄りと他側寄り（図に向かって上側寄りと下側寄り）において第１装着部３１と第２装着部４１とがそれぞれ設けられている。そして、基板ボックス２１０が前記第１装着部３１と第２装着部４１に選択的に装着されるようになっている。すなわち、この実施の形態２においては、裏カバー体３０の後側面は下向きに傾斜する傾斜状に形成されている。そして、その傾斜部の上部側には第１装着部３１が設けられ、下部側に第２装着部４１が設けられている。また、基板ボックス２１０と、第１装着部３１（及び第２装着部４１）の間には、基板ボックス２１０を着脱可能に装着するための装着手段３１ａ（及び４１ａ）がそれぞれ設けられている。また、基板ボックス２１０には、主制御基板９０、副制御基板としての音声制御基板１４０、ランプ制御基板１５０等の制御基板のうち、単数又は複数の制御基板が収納されている。その他の構成は実施の形態１と略同様に構成されるため、その説明は省略する。
【００４３】
したがって、この実施の形態２においては、図２２に示すように、裏カバー体３０の第１装着部３１に対し基板ボックス２１０が装着されることによって、同基板ボックス２１０の下端が遊技盤２１の下端縁から下方に突出することなく、遊技盤２１の高さ寸法Ｈ内において納められる。このため、実施の形態１と略同様にして、ユニット組立ライン（遊技機生産ライン）の上下の盤移送レールによって遊技盤２１を移送する際、基板ボックス２１０が妨害物となる不具合を解消することができるとともに、遊技盤ユニット２０の高さ寸法が遊技盤２１の高さ寸法Ｈ内において小さく抑えられる。この結果、遊技盤ユニット２０を嵩張ることなく梱包することができ、梱包、保管、運搬等においても効果が大きい。また、図２３に示すように、裏カバー体３０の第２装着部４１に基板ボックス２１０が装着されることによって、遊技盤２１の前面から基板ボック２１０後面までの奥行き寸法Ｗが小さくなる。ひいては、遊技機全体の奥行き寸法も可及的に小さくなるため、パチンコホールの島設備において、パチンコ機を設置するための奥行きスペースが小さい場合においても、そのパチンコ機の前枠に対し遊技盤ユニット２０を不具合なく装着することが可能となる。
【００４４】
（実施の形態３）
次に、この発明の実施の形態３を図２４と図２５にしたがって説明すると、この実施の形態３においては、実施の形態２と略同様にして、ボックス支持部材としての裏カバー体３０の後側面の奥行き方向に変位した傾斜部の上下部に第１装着部３１と第２装着部４１とがそれぞれ設けられている。そして、基板ボックス２１０がボックストレイ５０を介して前記第１装着部３１と第２装着部４１に選択的に装着されるようになっている。すなわち、この実施の形態３においては、ボックストレイ５０は、その上部が裏カバー体３０の傾斜部に沿って傾斜状に形成され、同ボックストレイ５０の下部は、上部の傾斜部下端から略垂下状をなして延びている。そして、ボックストレイ５０は、その上部の傾斜部において、装着手段（図示しない適宜の装着手段）によって裏カバー体３０の第１装着部３１と、第２装着部４１に選択的に装着されるようになっている。また、ボックストレイ５０上部の傾斜部には、後方に向けて突出された一対のボックス支持片５５が設けられ、これら一対のボックス支持片５５の間には、矩形箱形状をなす基板ボックス２１０が装着されている。また、この実施の形態３において、ボックストレイ５０下部の垂下部の前後両面のうち、少なくとも片側面（図２４では前後両面）には、前記基板ボックス２１０とは別の基板ボックス２１１、２１２が装着されている。その他の構成は実施の形態１と略同様に構成されるため、その説明は省略する。
【００４５】
したがって、この実施の形態３においては、図２４に示すように、裏カバー体３０の第１装着部３１に対しボックストレイ５０を介して基板ボックス２１０、２１１、２１２が装着されることによって、ボックストレイ５０及び基板ボックス２１１、２１２の下端が遊技盤２１の下端縁から下方に突出することなく、遊技盤２１の高さ寸法Ｈ内において納められる。このため、実施の形態１と略同様にして、ユニット組立ライン（遊技機生産ライン）の上下の盤移送レールによって遊技盤２１を移送する際、ボックストレイ５０や基板ボックス２１１、２１２が妨害物となる不具合を解消することができるとともに、遊技盤ユニット２０の高さ寸法が遊技盤２１の高さ寸法Ｈ内において小さく抑えられる。この結果、遊技盤ユニット２０を嵩張ることなく梱包することができ、梱包、保管、運搬等においても効果が大きい。また、図２５に示すように、裏カバー体３０の第２装着部４１にボックストレイ５０が装着されることによって、遊技盤２１の前面から基板ボック２１０後面までの奥行き寸法Ｗが小さくなる。ひいては、遊技機全体の奥行き寸法も可及的に小さくなるため、パチンコホールの島設備において、パチンコ機を設置するための奥行きスペースが小さい場合においても、そのパチンコ機の前枠に対し遊技盤ユニット２０を不具合なく装着することが可能となる。
【００４６】
なお、この発明は、前記実施の形態１〜３に限定するものではない。例えば、前記実施の形態１においては、ボックス支持部材としての裏カバー体３０後面の奥行き方向に段差状をなす第１装着部３１と第２装着部４１に対し、ボックストレイ５０を介し主基板ボックス８０、副基板ボックス１３０等の複数の基板ボックスがそれぞれ装着される場合を例示したが、裏カバー体３０後面の第１装着部３１と第２装着部４１に対し、ボックストレイ５０を用いることなく直接かつ選択的に基板ボックスを着脱可能に装着してもよい。また、前記とは逆に、実施の形態２においては、ボックス支持部材の裏カバー体３０後面の奥行き方向に傾斜状に変位した第１装着部と第２装着部に基板ボックス２１０が直接かつ選択的に装着される場合を例示したが、例えば、実施の形態３でも述べたように、裏カバー体３０後面の第１装着部３１と第２装着部４１に対し、ボックストレイ５０を介して基板ボックス２１０を装着してもよい。また、前記実施の形態１〜３においては、遊技機がパチンコ機（アレンジボール機、雀球機等も含む）である場合を例示したが、これに限定するものではなく、遊技機の後側等の所定位置に装着されたボックス支持部材に制御ボックスが装着される遊技機であれば、どのような遊技機であってもよい。例えば、遊技機がスロットマシンであってもよい。
【００４７】
【発明の効果】
以上述べたように、この発明によれば、ボックス支持部材の第１装着部と第２装着部に基板ボックスが選択的に装着されることで、ボックス支持部材から基板ボックス後面までの奥行き寸法や、ボックス支持部材の外側方に対する基板ボックスの張り出しを調整することができる。このため、遊技機全体の奥行き寸法を軽減したり、あるいは、ボックス支持部材に対する基板ボックスのはみ出しによる不具合を防止することが可能となる。
【図面の簡単な説明】
【図１】この発明の実施の形態１に係る遊技機としてのパチンコ機全体を示す背面図である。
【図２】同じくパチンコ機全体を示す正面図である。
【図３】同じくパチンコ機全体を示す側面図である。
【図４】同じく遊技盤、裏カバー体、ボックストレイ、主基板ボックス、副基板ボックス等を有する遊技盤ユニットを示す背面図である。
【図５】同じく遊技機のボックス支持部材としての裏セット部材の第２装着部にボックストレイが装着された状態を示す斜視図である。
【図６】同じく裏セット部材の第２装着部にボックストレイが装着された状態を示す側面図である。
【図７】同じく裏セット部材の第１装着部にボックストレイが装着された状態を示す斜視図である。
【図８】同じく裏セット部材の第１装着部にボックストレイが装着された状態を示す側面図である。
【図９】同じく遊技機のボックス支持部材としての裏セット部材を示す背面図である。
【図１０】同じく図９のＸ−Ｘ線に基づく断面図である。
【図１１】同じくボックストレイを示す背面図である。
【図１２】同じく図１１のＸＩＩ−ＸＩＩ線に基づく断面図である。
【図１３】同じく図１１のＸＩＩＩ−ＸＩＩＩ線に基づく断面図である。
【図１４】同じくボックストレイに主基板ボックスと副基板ボックスとがそれぞれ装着された状態を示す斜視図である。
【図１５】同じくボックストレイに主基板ボックスと副基板ボックスとがそれぞれ装着された状態を示す背面図である。
【図１６】同じく主基板ボックスを示す斜視図である。
【図１７】同じく主基板ボックスを示す断面図である。
【図１８】同じく主基板ボックスの蓋体が開放された状態を示す斜視図である。
【図１９】同じく主基板ボックスの蓋体が開放された状態を示す断面図である。
【図２０】同じく副基板ボックスを示す斜視図である。
【図２１】同じく副基板ボックスを示す断面図である。
【図２２】この発明の実施の形態２に係る遊技盤ユニットの裏カバー体に設けられた第１装着部に基板ボックスが装着された状態を示す説明図である。
【図２３】同じく裏カバー体に設けられた第２装着部に基板ボックスが装着された状態を示す説明図である。
【図２４】この発明の実施の形態３に係る遊技盤ユニットの裏カバー体に設けられた第１装着部にボックストレイを介して基板ボックスが装着された状態を示す説明図である。
【図２５】同じく裏カバー体に設けられた第２装着部にボックストレイを介して基板ボックスが装着された状態を示す説明図である。
【符号の説明】
１ パチンコ機（遊技機）
２１ 遊技盤
３０ 裏カバー体（ボックス支持部材）
３１ 第１装着部
４１ 第２装着部
５０ ボックストレイ
８０ 主基板ボックス（基板ボックス）
９０ 主制御基板（制御基板）
１３０ 副基板ボックス（基板ボックス）
１４０ 音声制御基板（制御基板）
１５０ ランプ制御基板（制御基板）
【図１】
0004304686.tif 000002
【図２】
0004304686.tif 000003
【図３】
0004304686.tif 000004
【図４】
0004304686.tif 000005
【図５】
0004304686.tif 000006
【図６】
0004304686.tif 000007
【図７】
0004304686.tif 000008
【図８】
0004304686.tif 000009
【図９】
0004304686.tif 000010
【図１０】
0004304686.tif 000011
【図１１】
0004304686.tif 000012
【図１２】
0004304686.tif 000013
【図１３】
0004304686.tif 000014
【図１４】
0004304686.tif 000015
【図１５】
0004304686.tif 000016
【図１６】
0004304686.tif 000017
【図１７】
0004304686.tif 000018
【図１８】
0004304686.tif 000019
【図１９】
0004304686.tif 000020
【図２０】
0004304686.tif 000021
【図２１】
0004304686.tif 000022
【図２２】
0004304686.tif 000023
【図２３】
0004304686.tif 000024
【図２４】
0004304686.tif 000025
【図２５】
0004304686.tif 000026